(57)【要約】【課題】調整部の部品寿命を延ばすことができる切刃部の位置調整機構および転削工具を提供する。【解決手段】中心軸Ｏ回りに回転させられる工具本体２の先端外周部に配置される切刃部３０と、工具本体２の外周において切刃部３０の軸方向の後端側に配置される支持部２４と、支持部２４に支持され、切刃部３０を軸方向の先端側へ向けて押圧し切刃部３０の軸方向の位置を調整する調整部５０と、を備え、調整部５０は、支持部２４に対して、中心軸Ｏに交差する方向または中心軸Ｏ回りの周方向に向けて取り外し自在である。【選択図】図３
2019177442.tif 000002
【特許請求の範囲】
【請求項１】
中心軸回りに回転させられる工具本体の先端外周部に配置される切刃部と、
前記工具本体の外周において前記切刃部の軸方向の後端側に配置される支持部と、
前記支持部に支持され、前記切刃部を軸方向の先端側へ向けて押圧し前記切刃部の軸方向の位置を調整する調整部と、を備え、
前記調整部は、前記支持部に対して、前記中心軸に交差する方向または前記中心軸回りの周方向に向けて取り外し自在である、切刃部の位置調整機構。
【請求項２】
請求項１に記載の切刃部の位置調整機構であって、
前記調整部は、前記支持部に対して、前記中心軸に直交する径方向に取り外し自在である、切刃部の位置調整機構。
【請求項３】
請求項１または２に記載の切刃部の位置調整機構であって、
前記調整部は、
前記支持部に支持される軸部材と、
前記軸部材に螺着し、前記切刃部に接触するナット部材と、を有し、
前記軸部材に対する前記ナット部材のねじ込み量を調整することにより、前記切刃部の軸方向の位置が調整される、切刃部の位置調整機構。
【請求項４】
請求項３に記載の切刃部の位置調整機構であって、
前記軸部材は、前記軸部材の外周面に第１平面部を有し、
前記支持部は、前記第１平面部と接触する第２平面部を有する、切刃部の位置調整機構。
【請求項５】
請求項４に記載の切刃部の位置調整機構であって、
前記軸部材は、前記軸部材の外周面に、互いに背中合わせに配置される一対の前記第１平面部を有し、
前記支持部は、互いに間隔をあけて対向配置される一対の前記第２平面部を有し、
一対の前記第１平面部と一対の前記第２平面部とが、それぞれ接触する、切刃部の位置調整機構。
【請求項６】
請求項３〜５のいずれか一項に記載の切刃部の位置調整機構であって、
前記軸部材は、前記支持部に軸方向の先端側から接触するスラスト受け部を有する、切刃部の位置調整機構。
【請求項７】
請求項６に記載の切刃部の位置調整機構であって、
前記スラスト受け部は、軸方向に延びる円柱状であり、
前記スラスト受け部は、前記スラスト受け部の外周面に、前記工具本体の外周面に接触する面取り部を有する、切刃部の位置調整機構。
【請求項８】
請求項１〜７のいずれか一項に記載の切刃部の位置調整機構であって、
前記工具本体の外周に配置され、前記切刃部の後端面に対して、軸方向の後端側から隙間をあけて対向する抜け止め壁部を備える、切刃部の位置調整機構。
【請求項９】
請求項１〜８のいずれか一項に記載の切刃部の位置調整機構であって、
前記切刃部は、前記工具本体の先端外周部に着脱可能に装着される、切刃部の位置調整機構。
【請求項１０】
中心軸回りに回転させられる工具本体と、
前記工具本体の先端外周部に周方向に互いに間隔をあけて配置される複数の切刃部と、
前記工具本体の外周において複数の前記切刃部の軸方向の後端側にそれぞれ配置される複数の支持部と、
前記支持部に支持され、前記切刃部を軸方向の先端側へ向けて押圧し前記切刃部の軸方向の位置を調整する少なくとも１つの調整部と、を備え、
前記調整部は、前記支持部に対して、前記中心軸に交差する方向または前記中心軸回りの周方向に向けて取り外し自在である、転削工具。
【発明の詳細な説明】
【技術分野】
【０００１】
本発明は、切刃部の位置調整機構および転削工具に関する。
【背景技術】
【０００２】
従来、特許文献１の切れ刃位置の調整機構が知られる。切れ刃位置の調整機構は、工具本体に螺合する軸部材と、軸部材に螺合され、切れ刃部材に当接するナット部材と、を備える。切れ刃位置を調整する際には、レンチ等の作業用工具を用いて、工具本体への軸部材のねじ込み量を調整したり、軸部材へのナット部材のねじ込み量を調整する。
【先行技術文献】
【特許文献】
【０００３】
【特許文献１】特開２０１４−２１３４０４号公報
【発明の概要】
【発明が解決しようとする課題】
【０００４】
この種の転削工具では、切削加工時において、調整部（調整機構）に大きな遠心力が作用して、調整部が早期に部品寿命に至ることがあった。
【０００５】
本発明は、上記事情に鑑み、調整部の部品寿命を延ばすことができる切刃部の位置調整機構および転削工具を提供することを目的の一つとする。
【課題を解決するための手段】
【０００６】
本発明の切刃部の位置調整機構の一つの態様は、中心軸回りに回転させられる工具本体の先端外周部に配置される切刃部と、前記工具本体の外周において前記切刃部の軸方向の後端側に配置される支持部と、前記支持部に支持され、前記切刃部を軸方向の先端側へ向けて押圧し前記切刃部の軸方向の位置を調整する調整部と、を備え、前記調整部は、前記支持部に対して、前記中心軸に交差する方向または前記中心軸回りの周方向に向けて取り外し自在である。
また、本発明の転削工具の一つの態様は、中心軸回りに回転させられる工具本体と、前記工具本体の先端外周部に周方向に互いに間隔をあけて配置される複数の切刃部と、前記工具本体の外周において複数の前記切刃部の軸方向の後端側にそれぞれ配置される複数の支持部と、前記支持部に支持され、前記切刃部を軸方向の先端側へ向けて押圧し前記切刃部の軸方向の位置を調整する少なくとも１つの調整部と、を備え、前記調整部は、前記支持部に対して、前記中心軸に交差する方向または前記中心軸回りの周方向に向けて取り外し自在である。
【０００７】
本発明の切刃部の位置調整機構および転削工具の一つの態様によれば、調整部が、支持部に、中心軸に交差する方向または周方向に向けて取り外し自在に支持される。このため、調整部により切刃部の軸方向の位置調整を行い、工具本体に対して切刃部を固定した姿勢（切刃部を位置決めした状態）から、調整部を取り外すことができる。
【０００８】
そして、工具本体から調整部を取り外した状態として、転削加工（切削加工）を行うことができる。したがって、調整部に大きな遠心力が作用することはなくなり、調整部の部品寿命を延ばすことができる。また、調整部が壊れにくくなるため、転削工具全体としての耐久性も向上して、工具寿命が延びる。
【０００９】
また、転削工具においては、工具本体の先端外周部に周方向に配列して複数の切刃部が設けられており、従来の構造では、工具本体の外周に切刃部と同じ数だけ調整部を設ける必要があった。
一方、本発明の転削工具の一つの態様によれば、工具から調整部を取り外し自在であるので、複数の切刃部と同じ数の調整部を用意する必要はない。例えば、１つの調整部により、すべての切刃部の軸方向の位置調整作業を順次行うことが可能である。したがって、工具のコストを削減できる。また、転削工具から調整部を取り外した状態として切削加工が行えるので、工具を軽量化できる。
【００１０】
上記切刃部の位置調整機構において、前記調整部は、前記支持部に対して、前記中心軸に直交する径方向に取り外し自在であることが好ましい。
【００１１】
この場合、切刃部の位置調整機構の構造を簡素化でき、かつ、調整部を支持部に着脱する作業がより容易となる。
【００１２】
上記切刃部の位置調整機構において、前記調整部は、前記支持部に支持される軸部材と、前記軸部材に螺着し、前記切刃部に接触するナット部材と、を有し、前記軸部材に対する前記ナット部材のねじ込み量を調整することにより、前記切刃部の軸方向の位置が調整されることが好ましい。
【００１３】
この場合、軸部材とナット部材とのねじ込み量を調整することにより、切刃部の軸方向の位置調整が容易に行える。
【００１４】
上記切刃部の位置調整機構において、前記軸部材は、前記軸部材の外周面に第１平面部を有し、前記支持部は、前記第１平面部と接触する第２平面部を有することが好ましい。
【００１５】
この場合、第１平面部と第２平面部とが接触することで、支持部に対して軸部材が軸部材の中心線回りに回転することを抑制できる。つまり、軸部材を回り止めした状態で、軸部材に対するナット部材のねじ込み量を調整でき、調整作業が容易となる。
【００１６】
上記切刃部の位置調整機構において、前記軸部材は、前記軸部材の外周面に、互いに背中合わせに配置される一対の前記第１平面部を有し、前記支持部は、互いに間隔をあけて対向配置される一対の前記第２平面部を有し、一対の前記第１平面部と一対の前記第２平面部とが、それぞれ接触することが好ましい。
【００１７】
この場合、一対の第１平面部が、一対の第２平面部に挟持されるため、支持部に対する軸部材の中心線回りの回転がより抑制される。したがって、調整部による切刃部の軸方向の位置調整作業がより容易となる。
【００１８】
上記切刃部の位置調整機構において、前記軸部材は、前記支持部に軸方向の先端側から接触するスラスト受け部を有することが好ましい。
【００１９】
この場合、スラスト受け部により、軸部材が支持部に軸方向の後端側から支持される。このため、調整部が、切刃部を軸方向の先端側に向けて押圧する押圧力を大きく確保できる。したがって、切刃部の軸方向の位置調整がより行いやすい。
【００２０】
上記切刃部の位置調整機構において、前記スラスト受け部は、軸方向に延びる円柱状であり、前記スラスト受け部は、前記スラスト受け部の外周面に、前記工具本体の外周面に接触する面取り部を有することが好ましい。
【００２１】
この場合、スラスト受け部の外周面に面取り部が設けられるので、軸部材を工具本体の外周面に接近配置しつつ、スラスト受け部の外径を大きく確保できる。これにより、スラスト受け部と支持部との接触領域を大きく確保でき、軸部材の姿勢が安定して、切刃部に対して調整部の押圧力を安定的に作用させることができる。
【００２２】
上記切刃部の位置調整機構において、前記工具本体の外周に配置され、前記切刃部の後端面に対して、軸方向の後端側から隙間をあけて対向する抜け止め壁部を備えることが好ましい。
【００２３】
この場合、工具から調整部が取り外された状態で切削加工が行われても、抜け止め壁部によって、切刃部の軸方向の後端側への抜け出しが抑制される。
【００２４】
上記切刃部の位置調整機構において、前記切刃部は、前記工具本体の先端外周部に着脱可能に装着されることが好ましい。
【００２５】
この場合、切刃部が着脱式の切削インサートまたは切削チップであり、転削工具は、刃先交換式フライスカッタ等の刃先交換式転削工具である。このため、切刃部が部品寿命となった際には、別の新しい切刃部と交換することにより、加工精度を良好に維持できる。また、被削材の種類や加工形態等に応じて、様々な切刃を有する複数種類の切刃部を用意し、選択的に使用することができる。
【発明の効果】
【００２６】
本発明の一つの態様の切刃部の位置調整機構および転削工具によれば、調整部の部品寿命を延ばすことができる。
【図面の簡単な説明】
【００２７】
【図１】本発明の一実施形態の切刃部の位置調整機構を備える刃先交換式フライスカッタ（転削工具）の斜視図である。
【図２】図１の刃先交換式フライスカッタの下面図（正面図）である。
【図３】図１の刃先交換式フライスカッタの側面図である。
【図４】図１の刃先交換式フライスカッタの縦断面図である。
【図５】調整部を示す斜視図である。
【図６】調整部を示す分解斜視図である。
【図７】調整部を示す（ａ）上面図、（ｂ）側面図および縦断面図である。
【図８】図７（ｂ）の調整部をVIII方向から見た側面図である。
【図９】切刃部を示す平面図である。
【発明を実施するための形態】
【００２８】
以下、本発明の一実施形態の転削工具の一例である刃先交換式フライスカッタ１、および、この刃先交換式フライスカッタ１が備える切刃部の位置調整機構２０について、図面を参照して説明する。
【００２９】
〔刃先交換式フライスカッタおよび切刃部の位置調整機構の概略構成〕
本実施形態の刃先交換式フライスカッタ１は、金属材料等の被削材にフライス加工を施す転削工具（切削工具）である。刃先交換式フライスカッタ１は、被削材に主に正面削り等の転削加工（切削加工）を施す。正面削りとは、被削材に対して、工具本体２の中心軸Ｏに垂直な加工面を形成するフライス削りである。
【００３０】
図１〜図４に示すように、切刃部の位置調整機構２０は、切刃部３０と、抜け止め壁部２６と、支持部２４と、調整部５０と、を備える。
また、刃先交換式フライスカッタ１は、工具本体２と、複数の切刃部３０と、複数の抜け止め壁部２６と、複数の支持部２４と、少なくとも１つの調整部５０と、を備える。
【００３１】
工具本体２は、中心軸Ｏを中心とする略円筒状である。工具本体２は、図示しない工作機械の主軸に装着され、主軸により中心軸Ｏ回りに回転させられる。
切刃部３０は、工具本体２の先端外周部に周方向に互いに間隔をあけて複数配置される。切刃部３０は、切削インサートまたは切削チップと呼ばれる。切刃部３０は、工具本体２の先端外周部に着脱可能に装着される。工具本体２の先端外周部には、周方向に互いに間隔をあけて複数のインサート取付座４が設けられる。各切刃部３０は、各インサート取付座４に対して着脱可能に取り付けられる。
【００３２】
切刃部３０は、切刃７を有する。インサート取付座４に取り付けられた切刃部３０は、その切刃７が、工具本体２よりも先端側および径方向外側に突出して配置される。
本実施形態の刃先交換式フライスカッタ１は、インサート取付座４が工具本体２に周方向に間隔をあけて１０箇所以上（例えば２０箇所）設けられており、切刃部３０もインサート取付座４の数と同じ数だけ、１０個以上（例えば２０個）設けられる。この刃先交換式フライスカッタ１は、いわゆる多刃タイプのフライスカッタである。
【００３３】
刃先交換式フライスカッタ１は、その工具本体２の上側部分が工作機械の主軸に取り付けられる。刃先交換式フライスカッタ１は、主軸により、工具本体２が中心軸Ｏ回りの工具回転方向Ｔに回転させられつつ、中心軸Ｏに交差する方向（例えば直交する方向）に移動させられる。そして、工具本体２に装着された複数の切刃部３０の切刃７により、被削材をフライス加工する。
【００３４】
〔本実施形態で用いる向き（方向）の定義〕
本実施形態では、工具本体２の中心軸Ｏに沿う方向（中心軸Ｏが延びる方向）を、軸方向と呼ぶ。軸方向のうち、工作機械の主軸に取り付けられる工具本体２の取付部５から、インサート取付座４および切刃部３０へ向かう方向を、先端側と呼び、インサート取付座４および切刃部３０から取付部５へ向かう方向を、後端側と呼ぶ。
中心軸Ｏに直交する方向を径方向と呼ぶ。径方向のうち、中心軸Ｏに接近する向きを径方向の内側と呼び、中心軸Ｏから離れる向きを径方向の外側と呼ぶ。
中心軸Ｏ回りに周回する方向を周方向と呼ぶ。周方向のうち、切削加工時に工作機械の主軸により工具本体２が回転させられる向きを、工具回転方向Ｔと呼び、これとは反対の回転方向を、工具回転方向Ｔとは反対方向（または反工具回転方向）と呼ぶ。
【００３５】
〔工具本体の説明１〕
工具本体２は、外側本体部２１と、内側本体部２２と、空間部２３と、クーラント孔３と、を有する。また、工具本体２は、チップポケット６と、インサート取付座４と、窪み部２５と、を有する。チップポケット６、インサート取付座４および窪み部２５は、外側本体部２１に配置される。
【００３６】
図４に示すように、外側本体部２１は、有底筒状である。外側本体部２１は、周壁と、底壁と、を有する。外側本体部２１は、例えば鋼材製である。
内側本体部２２は、略円柱状である。内側本体部２２は、外側本体部２１の内部に配置される。すなわち、内側本体部２２は、外側本体部２１の内部に位置する部分を有する。内側本体部２２は、例えばアルミ材製である。内側本体部２２の比重は、外側本体部２１の比重よりも小さい。
【００３７】
内側本体部２２は、円柱部２２ａと、フランジ部２２ｂと、を有する。
円柱部２２ａの後端面（上面）には、取付部５が形成される。取付部５は、円柱部２２ａの後端面に開口し、この後端面から先端側に窪む穴である。取付部５には、工作機械の主軸が挿入される。
フランジ部２２ｂは、円柱部２２ａの後端部（上端部）から径方向外側に広がる。フランジ部２２ｂは、円形リング板状である。フランジ部２２ｂの先端面（下面）は、外側本体部２１の周壁の後端面（上面）に対向する。
【００３８】
円柱部２２ａの外周面のうち、フランジ部２２ｂの先端側に隣接する部分は、外側本体部２１の周壁の後端開口内に嵌合する。
円柱部２２ａの先端面のうち、外周端部および内周端部は、外側本体部２１の底壁の後端面に対して、後端側から接触する。円柱部２２ａと外側本体部２１の底壁とは、ネジ部材４０により締結され、互いに固定される。
【００３９】
空間部２３は、外側本体部２１と内側本体部２２との間に位置する。空間部２３は、工具本体２の内部に設けられる肉抜き空間である。空間部２３は、第１空間部２３ａと、第２空間部２３ｂと、を有する。
【００４０】
第１空間部２３ａは、外側本体部２１の周壁と、円柱部２２ａの外周面との間に配置される。第１空間部２３ａは、中心軸Ｏを中心とする円筒状の空間である。
第２空間部２３ｂは、外側本体部２１の底壁と、円柱部２２ａの先端面との間に配置される。第２空間部２３ｂは、中心軸Ｏを中心とする円形リング状の空間である。第２空間部２３ｂは、円柱部２２ａの先端面のうち、外周端部と内周端部との間に位置する。第２空間部２３ｂは、クーラント孔３の流路の一部を構成する。
【００４１】
クーラント孔３は、工具本体２の内部を延びる。クーラント孔３は、工具本体２を貫通する。工作機械の主軸を通して供給されるクーラント（切削液剤）が、クーラント孔３の内部を流通する。クーラント孔３は、第１クーラント孔３ａと、第２クーラント孔３ｂと、第２空間部２３ｂと、を有する。
【００４２】
第１クーラント孔３ａは、内側本体部２２を貫通する。第１クーラント孔３ａは、取付部５の内周面および円柱部２２ａの先端面に開口する。第１クーラント孔３ａの先端部は、第２空間部２３ｂと繋がる。第１クーラント孔３ａは、周方向に互いに間隔をあけて複数（例えば４本）設けられる。
第２クーラント孔３ｂは、外側本体部２１を貫通する。第２クーラント孔３ｂは、外側本体部２１の底壁の後端面および周壁の外周面に開口する。第２クーラント孔３ｂの後端部は、第２空間部２３ｂと繋がる。第２クーラント孔３ｂの先端部（径方向外端部）は、チップポケット６に開口する。第２クーラント孔３ｂの先端部は、切刃部３０の切刃７に向けて開口する。第２クーラント孔３ｂは、周方向に互いに間隔をあけて複数設けられる。第２クーラント孔３ｂの数は、チップポケット６の数や切刃部３０の数と同じ（例えば２０本）である。
【００４３】
チップポケット６は、工具本体２（外側本体部２１）の先端外周部に周方向に互いに間隔をあけて複数設けられる。チップポケット６は、工具本体２の先端外周部において凹状に窪んで形成される。
インサート取付座４は、工具本体２（外側本体部２１）の先端外周部のうち、チップポケット６の工具回転方向Ｔとは反対方向に隣接して配置される。言い換えると、チップポケット６が、インサート取付座４に対して工具回転方向Ｔに隣接して配置される。インサート取付座４は、切刃部３０の形状に対応して、長方形穴状または溝状をなす。
インサート取付座４の詳しい説明、窪み部２５および工具本体２の上述以外の部分の説明については、別途後述する。
【００４４】
〔切刃部〕
図９に示すように、切刃部３０は、例えば正面フライス加工（正面削り）に用いられる正面フライス用インサートである。工具本体２に装着される複数の切刃部３０としては、互いに切刃７の形状が同一である１種類のみが用いられてもよいし、互いに切刃７の形状が異なる複数種類が用いられてもよい。
切刃部３０は、工具本体２のインサート取付座４に取り付けられるインサート本体３１と、インサート本体３１のすくい面３２と逃げ面との交差稜線に沿って延び、インサート本体３１の先端外周部に配置される切刃７と、を有する。
【００４５】
インサート本体３１は、多角形板状である。本実施形態の例では、インサート本体３１が長方形板状である。切刃部３０がインサート取付座４に装着されると、インサート本体３１の長方形面（表面および裏面）の長手方向は、工具本体２の軸方向に沿って配置される（図３参照）。また、インサート本体３１の長方形面の短手方向は、工具本体２の径方向に沿って配置される（図２参照）。
【００４６】
インサート本体３１は、長方形板状の台金部３４と、該台金部３４の１つのコーナ部に接合され、切刃７が形成された三角形板状の刃部３５と、を有する。
台金部３４は、例えば超硬合金製である。刃部３５は、台金部３４よりも硬度が高いダイヤモンド焼結体やｃＢＮ焼結体等の超高圧焼結体製である。ただしこれに限らず、インサート本体３１は、台金部３４および刃部３５を含む全体が例えば超硬合金製であり、単一部材により一体に形成されていてもよい。
【００４７】
本実施形態においては、刃部３５が、インサート本体３１の表面および裏面を構成する一対の多角形面（長方形面）のうち、一方の多角形面（表面）の１つのコーナ部に配置されて、台金部３４にロウ付けや一体焼結等により接合されている。上記コーナ部は、切刃部３０がインサート取付座４に装着されたときに、刃先交換式フライスカッタ１の先端外周部に位置するコーナ部である。
【００４８】
台金部３４の一方の多角形面には、該多角形面から厚さ方向に窪むクランプ凹部３７が形成されている。本実施形態の例では、切刃部３０を厚さ方向から見た平面視で、クランプ凹部３７がＤ字状をなす。ただし、クランプ凹部３７は、平面視でＤ字状に限らない。クランプ凹部３７の深さは、インサート本体３１の短手方向に沿って刃部３５とは反対側の端部から刃部３５側へ向かうにしたがい深くなる。つまりクランプ凹部３７の底面は、傾斜面である。切刃部３０がインサート取付座４に装着されたときに、クランプ凹部３７の底面は、径方向外側に向かうにしたがい工具回転方向Ｔとは反対方向に向けて延びる。
【００４９】
台金部３４の一方の多角形面において、クランプ凹部３７と刃部３５との間に位置する部分には、該多角形面から厚さ方向に突出するリブ３８が形成されている。図９に示す切刃部３０の平面視において、リブ３８は、略直角三角形状をなす刃部３５の斜辺と略平行に、直線状に延びる。リブ３８は、刃部３５に対してインサート本体３１の長手方向および短手方向から対向するように配置される。このため、切刃部３０がインサート取付座４に装着されたときに、リブ３８は、切刃７に対して、軸方向の後端側からかつ径方向の内側から、対向して配置される。リブ３８には、切刃７が被削材を切削して生じた切屑が接触する。
【００５０】
図２に示すように、切刃部３０の厚さは、インサート本体３１の短手方向に沿って、刃部３５から該刃部３５とは反対側の端部へ向かうにしたがい厚くなる。すなわち、切刃部３０がインサート取付座４に装着されたときに、切刃部３０の厚さは、径方向内側に向かうにしたがい厚くなる。
【００５１】
図３に示すように、切刃部３０がインサート取付座４に装着されたときに、切刃７のアキシャルレーキ（軸方向すくい角）は、ポジティブ（正）角である。
図９において、切刃７のうち、インサート本体３１の短手方向に延びる部分は、正面刃７ａである。正面刃７ａは、直線状である。なお、正面刃７ａは直線状に限らず、例えば、大きな曲率半径を有する凸曲線状等であってもよい。正面刃７ａは、切刃部３０がインサート取付座４に装着されたときに、該インサート取付座４から工具本体２の先端側に向けて突出する。
切刃７のうち、インサート本体３１の長手方向に延びる部分は、外周刃７ｂである。外周刃７ｂは、直線状である。外周刃７ｂは、切刃部３０がインサート取付座４に装着されたときに、該インサート取付座４から工具本体２の径方向外側に向けて突出する。
切刃７のうち、正面刃７ａと外周刃７ｂとの間に位置する部分は、コーナ刃７ｃである。コーナ刃７ｃは、凸曲線状または直線状である。コーナ刃７ｃは、切刃部３０がインサート取付座４に装着されたときに、該インサート取付座４から工具本体２の先端外周側に向けて突出する。
【００５２】
〔工具本体の説明２〕
工具本体２のインサート取付座４について、詳しく説明する。
図１〜図４に示すように、インサート取付座４は、工具本体２の先端面と外周面とに開口して軸方向に延びる。インサート取付座４は、工具回転方向Ｔとは反対方向を向く第１壁面８と、工具回転方向Ｔを向く第２壁面９と、該インサート取付座４の径方向内側の端部に位置して径方向外側を向く第３壁面１０と、クランプネジ孔１１と、を有する。
【００５３】
図２に示すように、本実施形態の例では第１壁面８が、工具本体２の中心軸Ｏを含む仮想平面（図示省略）に沿って広がる平面状であり、第３壁面１０は、第１壁面８と略直交する平面状である。また第２壁面９は、径方向外側に向かうにしたがい工具回転方向Ｔに向けて延びる。このため、第２壁面９と第１壁面８との間の距離（インサート取付座４の周方向の幅）は、径方向外側へ向かうにしたがい小さくなる。
【００５４】
切刃部３０は、インサート取付座４に対して軸方向の後端側に向けて挿入される。インサート取付座４に切刃部３０が挿入されたときに、切刃部３０の厚さ方向を向く表面（一方の多角形面）は、第１壁面８と接触する。なお、後述のように切刃部３０をクランプネジ１９で固定した際には、切刃部３０の厚さ方向を向く表面と、第１壁面８との間に、僅かに隙間が設けられる。切刃部３０の厚さ方向を向く裏面（他方の多角形面）は、第２壁面９と接触する。切刃部３０の短手方向を向く側面は、第３壁面１０と接触する。切刃部３０は、第１壁面８と第２壁面９との間で周方向から挟持される。
本実施形態の例では、上述のようにインサート取付座４の周方向の幅が、径方向外側へ向かうにしたがい小さくなるので、インサート取付座４に挿入された切刃部３０が、インサート取付座４に対して径方向外側に移動することは抑制される。つまり、インサート取付座４から切刃部３０が径方向外側へ抜け出すことが防止される。
【００５５】
クランプネジ孔１１は、工具本体２の外周面（チップポケット６）および第１壁面８に開口する。クランプネジ孔１１の内周面には、雌ネジ部が形成される。クランプネジ孔１１は、工具回転方向Ｔとは反対方向へ向かうにしたがい径方向内側へ向けて延びる。クランプネジ孔１１には、クランプネジ１９が螺着する。クランプネジ１９の先端は、切刃部３０のクランプ凹部３７の底面に接触する。クランプネジ１９がクランプネジ孔１１にねじ込まれることにより、切刃部３０はインサート取付座４に固定される。
【００５６】
図１、図３および図４に示すように、窪み部２５は、工具本体２（外側本体部２１）の外周面に配置され、工具本体２の外周面（後述する中間部分２ｂ）から径方向内側に窪む。窪み部２５の数は、切刃部３０の数やインサート取付座４の数と同一であり、本実施形態の例では、工具本体２の外周に窪み部２５が１０個以上（例えば２０個）設けられる。
【００５７】
窪み部２５は、インサート取付座４の後端側に位置する。窪み部２５は、インサート取付座４の後端部と繋がる。軸方向から見て、窪み部２５とインサート取付座４とは、重なって配置される。径方向から見て、窪み部２５と、切刃部３０の後端部とは、重なって配置される。切刃部３０の後端部のうち、径方向内側の端部は、窪み部２５内に位置する。本実施形態の例では、窪み部２５が、長方形穴状である。窪み部２５は、周方向に延びる。
【００５８】
〔抜け止め壁部〕
抜け止め壁部２６は、工具本体２（外側本体部２１）の外周に配置される。本実施形態の例では、抜け止め壁部２６が、窪み部２５の内壁の一部を構成する。抜け止め壁部２６は、窪み部２５の内壁のうち、窪み部２５の後端部に位置して先端側を向く壁部である。抜け止め壁部２６は、工具本体２の外周に、周方向に互いに間隔をあけて複数配置される。抜け止め壁部２６の数は、窪み部２５の数と同じである。
【００５９】
抜け止め壁部２６は、切刃部３０（インサート本体３１）の後端面に対して、軸方向の後端側から隙間をあけて対向する。軸方向から見て、抜け止め壁部２６と切刃部３０の後端面とは、重なって配置される。
【００６０】
〔支持部〕
支持部２４は、工具本体２の外周において切刃部３０の軸方向の後端側に配置される。支持部２４は、工具本体２の外周面に、周方向に互いに間隔をあけて複数配置される。支持部２４は、工具本体２の外周において、複数の切刃部３０の軸方向の後端側にそれぞれ配置される。支持部２４の数は、切刃部３０の数と同一であり、本実施形態の例では、工具本体２の外周に支持部２４が１０個以上（例えば２０個）設けられる。支持部２４は、外側本体部２１の周壁の外周面のうち、後端部に配置される。支持部２４は、工具本体２の外周に装着される調整部５０の軸方向の後端側に位置して、調整部５０を支持する。
【００６１】
支持部２４は、工具本体２の外周面において、径方向外側に向けて突出する。支持部２４は、工具本体２の外周面のうち、支持部２４に対して周方向に隣り合う部分（周方向に対向する部分）２ａよりも、径方向外側に向けて突出する。なお、上記部分２ａは、工具本体２の外周面のうち、周方向に隣り合う支持部２４同士の間の部分２ａと言い換えてもよい。
支持部２４は、工具本体２の外周面のうち、支持部２４の先端側に隣り合う部分（後述する中間部分２ｂ）よりも、径方向外側に向けて突出する。
【００６２】
支持部２４は、軸方向に延びるリブ状をなす。支持部２４は、軸方向に延び、周方向に互いに間隔をあけて配置される一対のリブを有する。支持部２４は、リブの周方向を向く面に、第２平面部２４ｂを有する。第２平面部２４ｂは、周方向に対して略垂直な方向に広がる平面状である。第２平面部２４ｂは、調整部５０の後述する第１平面部５３ａと接触する。支持部２４は、互いに間隔をあけて対向配置される一対の第２平面部２４ｂを有する。本実施形態の例では、一対の第２平面部２４ｂ同士が、周方向に互いに対向して配置される。一対の第２平面部２４ｂは、一対のリブにおいて周方向に互いに対向する面に配置される。支持部２４（の一対のリブ）の先端面は、中心軸Ｏに垂直な平面状の部分を有する。
【００６３】
軸方向から見て、支持部２４と、窪み部２５と、インサート取付座４と、切刃部３０とは、互いに重なって配置される。工具本体２の外周に調整部５０が取り付けられたときには、軸方向から見て、支持部２４と、調整部５０と、窪み部２５と、インサート取付座４と、切刃部３０とが、互いに重なって配置される。
【００６４】
〔調整部〕
調整部５０は、工具本体２（外側本体部２１）の外周に配置される。刃先交換式フライスカッタ１は、調整部５０を少なくとも１つ備える。調整部５０は、支持部２４に支持される。調整部５０は、切刃部３０を軸方向の先端側へ向けて押圧し、切刃部３０の軸方向の位置を調整する。調整部５０は、工具本体２に対して切刃部３０の軸方向の位置を調整することにより、切刃７の軸方向の位置を調整する。
【００６５】
調整部５０は、支持部２４に対して、中心軸Ｏに交差する方向または中心軸Ｏ回りの周方向に向けて取り外し自在である。本実施形態の例では、調整部５０が、支持部２４に対して、中心軸Ｏに直交する径方向に取り外し自在である。そして、調整部５０が工具（支持部２４）から取り外された状態において、刃先交換式フライスカッタ１は、被削材を切削加工する。
【００６６】
図３〜図８に示すように、調整部５０は、軸部材５１と、ナット部材５２と、を有する。軸部材５１は、支持部２４に支持される。ナット部材５２は、軸部材５１に螺着し、切刃部３０に接触する。具体的に、軸部材５１は、支持部２４により周方向の両側から支持され、かつ軸方向の後端側から支持される。
軸部材５１の中心線Ｃは、工具本体２の軸方向に沿って延びる。したがって、軸部材５１の中心線Ｃが延びる方向は、工具本体２の軸方向に相当する。
【００６７】
軸部材５１は、軸部材５１の後端部に位置する回り止め軸５３と、先端部に位置するネジ軸５４と、軸方向に沿う回り止め軸５３とネジ軸５４との間に位置するスラスト受け部５５と、を有する。
【００６８】
回り止め軸５３は、回り止め軸５３の外周面に第１平面部５３ａを有する。つまり、軸部材５１は、軸部材５１の外周面に第１平面部５３ａを有する。第１平面部５３ａは、軸方向に延びる平面状である。回り止め軸５３は、回り止め軸５３の外周面に、互いに背中合わせに配置される一対の第１平面部５３ａを有する。つまり、軸部材５１は、軸部材５１の外周面に、互いに背中合わせに配置される一対の第１平面部５３ａを有する。一対の第１平面部５３ａ同士は、中心線Ｃに直交する方向において、互いに反対側を向く。一対の第１平面部５３ａ同士は、中心線Ｃに直交する方向において、互いに背向配置される。
【００６９】
軸部材５１の一対の第１平面部５３ａと、支持部２４の一対の第２平面部２４ｂとは、それぞれ接触する。このため、回り止め軸５３は、支持部２４の一対のリブにより、回り止め状態で挟持される。つまり、支持部２４に対して軸部材５１は、中心線Ｃ回りの回転が規制された状態（回り止め状態）で、支持される。
ネジ軸５４は、ネジ軸５４の外周面に雄ネジ部を有する。
【００７０】
スラスト受け部５５は、軸方向に延びる円柱状である。スラスト受け部５５の外径は、回り止め軸５３の外径およびネジ軸５４の外径よりも大きい。スラスト受け部５５は、支持部２４に軸方向の先端側から接触する。スラスト受け部５５の後端面が、支持部２４の一対のリブの先端面に対して、先端側から接触する。スラスト受け部５５の後端面は、中心線Ｃ（中心軸Ｏ）に垂直な方向に広がる平面状である。
【００７１】
スラスト受け部５５は、スラスト受け部５５の外周面に、工具本体２の外周面に接触する面取り部５５ａを有する。本実施形態の例では、面取り部５５ａが、軸方向に延びる平面状である。面取り部５５ａは、工具本体２の外周面における後述する中間部分２ｂに接触する。スラスト受け部５５は、工具本体２の外周面に径方向内側から支持される。
【００７２】
ナット部材５２は、中心線Ｃを中心とする円筒状である。本実施形態の例では、ナット部材５２の外径が、回り止め軸５３の外径より大きく、スラスト受け部５５の外径より小さい。ナット部材５２は、ナット部材５２の内周面に雌ネジ部を有する。ナット部材５２は、ネジ軸５４に螺着する。
【００７３】
ナット部材５２の外周面には、ナット操作穴５２ａが開口する。ナット操作穴５２ａは、ナット部材５２の外周面に、中心線Ｃ回りに互いに間隔をあけて複数（例えば等間隔に４つ）設けられる。ナット操作穴５２ａは、中心線Ｃに直交する方向に延びる。本実施形態の例では、ナット操作穴５２ａが、ナット部材５２を中心線Ｃに直交する方向に貫通する貫通孔である。ナット操作穴５２ａには、図示しないレンチ等の作業用工具が挿入される。
図４に示すように、ナット部材５２の径方向外端の径方向の位置は、切刃部３０の径方向外端（外周刃７ｂ）の径方向の位置よりも、径方向の内側である。
【００７４】
ナット部材５２の先端面は、切刃部３０の後端面に対して、後端側から接触する。
このため、クランプネジ１９を緩めた状態または仮締めした状態において、軸部材５１に対するナット部材５２のねじ込み量を調整することにより、切刃部３０の軸方向の位置が調整される。すなわち、作業用工具を操作して、ナット部材５２を中心線Ｃ回りに回転させることにより、インサート取付座４に対して、切刃部３０および切刃７の軸方向の位置が調整可能である。切刃部３０の位置調整を行った後は、クランプネジ１９をねじ込んで本締めすることにより、インサート取付座４に対して切刃部３０が固定される。なお、クランプネジ１９を本締めした状態において、軸部材５１に対するナット部材５２のねじ込み量を調整することにより、切刃部３０の軸方向の位置を微調整してもよい。
【００７５】
〔工具本体の説明３〕
工具本体２の上述以外の部分について、説明する。
工具本体２（外側本体部２１）の外周面のうち、軸方向に沿う先端部（インサート取付座４やチップポケット６が位置する端部）と後端部（支持部２４や部分２ａが位置する端部）との間に位置する部分が、中間部分２ｂである。工具本体２の外周のうち先端部および後端部は、中間部分２ｂよりも径方向外側に突出する部分を有する。
【００７６】
径方向から見て、中間部分２ｂと調整部５０とは、互いに重なって配置される。中間部分２ｂは、工具本体２の外周面のうち、調整部５０に対して周方向に隣り合う部分を有する。具体的に、中間部分２ｂは、ナット部材５２に対して周方向に隣接する部分を有する。つまり、工具本体２の外周面は、調整部５０と周方向に隣り合う部分を有し、この部分は、中間部分２ｂの一部である。
【００７７】
中心軸Ｏに垂直な断面視において、中間部分２ｂは、中心軸Ｏを中心とする円弧状である。このため、工具本体２（外側本体部２１）を製造する際、中間部分２ｂを旋削加工（ターニング）により形成できる。
【００７８】
中間部分２ｂの径方向の位置は、調整部５０の径方向の位置よりも、径方向の内側である。言い換えると、調整部５０は、工具本体２の外周面のうち中間部分２ｂよりも、径方向外側に突出して配置される。本実施形態の例では、中間部分２ｂの径方向の位置が、調整部５０の中心線Ｃの径方向の位置よりも、径方向の内側である。
本実施形態の例では、中間部分２ｂの径方向の位置が、工具本体２の外周面のうち周方向に隣り合う支持部２４同士の間の部分２ａの径方向の位置よりも、径方向外側である。
【００７９】
〔本実施形態による作用効果〕
以上説明した本実施形態の切刃部の位置調整機構２０および刃先交換式フライスカッタ１によれば、調整部５０が、支持部２４に、中心軸Ｏに交差する方向または周方向に向けて取り外し自在に支持される。このため、調整部５０により切刃部３０の軸方向の位置調整を行い、工具本体２に対して切刃部３０を固定した姿勢（切刃部３０を位置決めした状態）から、調整部５０を取り外すことができる。
【００８０】
そして、工具本体２から調整部５０を取り外した状態として、転削加工（切削加工）を行うことができる。したがって、調整部５０に大きな遠心力が作用することはなくなり、調整部５０の部品寿命を延ばすことができる。また、調整部５０が壊れにくくなるため、刃先交換式フライスカッタ１全体としての耐久性も向上して、工具寿命が延びる。
【００８１】
また、刃先交換式フライスカッタにおいては、工具本体の先端外周部に周方向に配列して複数の切刃部が設けられており、従来の構造では、工具本体の外周に切刃部と同じ数だけ調整部を設ける必要があった。
一方、本実施形態の刃先交換式フライスカッタ１によれば、工具から調整部５０を取り外し自在であるので、複数の切刃部３０と同じ数の調整部５０を用意する必要はない。例えば、１つの調整部５０により、すべての切刃部３０の軸方向の位置調整作業を順次行うことが可能である。したがって、工具のコストを削減できる。また、刃先交換式フライスカッタ１から調整部５０を取り外した状態として切削加工が行えるので、工具を軽量化できる。
【００８２】
また本実施形態では、調整部５０が、支持部２４に対して中心軸Ｏに直交する径方向に取り外し自在である。
このため、切刃部の位置調整機構２０の構造を簡素化でき、かつ、調整部５０を支持部２４に着脱する作業がより容易となる。
【００８３】
また本実施形態では、軸部材５１に対するナット部材５２のねじ込み量を調整することにより、切刃部３０の軸方向の位置が調整される。
このため、切刃部３０の軸方向の位置調整が容易に行える。
【００８４】
また本実施形態では、軸部材５１の第１平面部５３ａと、支持部２４の第２平面部２４ｂとが接触することで、支持部２４に対して軸部材５１が中心線Ｃ回りに回転することを抑制できる。つまり、軸部材５１を回り止めした状態で、軸部材５１に対するナット部材５２のねじ込み量を調整でき、調整作業が容易となる。
【００８５】
また本実施形態では、一対の第１平面部５３ａと一対の第２平面部２４ｂとが、それぞれ接触する。
この場合、一対の第１平面部５３ａが、一対の第２平面部２４ｂに挟持されるため、支持部２４に対する軸部材５１の中心線Ｃ回りの回転がより抑制される。したがって、調整部５０による切刃部３０の軸方向の位置調整作業がより容易となる。
【００８６】
また本実施形態では、軸部材５１のスラスト受け部５５が、支持部２４に軸方向の先端側から接触する。
このため、スラスト受け部５５によって、軸部材５１が支持部２４に軸方向の後端側から支持される。よって調整部５０は、切刃部３０を軸方向の先端側に向けて押圧する押圧力を大きく確保できる。したがって、切刃部３０の軸方向の位置調整がより行いやすい。
【００８７】
また本実施形態では、スラスト受け部５５の外周面に面取り部５５ａが設けられるので、軸部材５１を工具本体２の外周面に接近配置しつつ、スラスト受け部５５の外径を大きく確保できる。これにより、スラスト受け部５５と支持部２４との接触領域を大きく確保でき、軸部材５１の姿勢が安定して、切刃部３０に対して調整部５０の押圧力を安定的に作用させることができる。
【００８８】
また本実施形態では、工具本体２の外周の抜け止め壁部２６が、切刃部３０の後端面に、軸方向の後端側から隙間をあけて対向する。
このため、工具から調整部５０が取り外された状態で切削加工が行われても、抜け止め壁部２６によって、切刃部３０の軸方向の後端側への抜け出しが抑制される。
【００８９】
また本実施形態では、切刃部３０が、工具本体２の先端外周部（インサート取付座４）に着脱可能に装着される。
すなわち、切刃部３０が着脱式の切削インサートまたは切削チップである。このため、切刃部３０が部品寿命となった際には、別の新しい切刃部３０と交換することにより、加工精度を良好に維持できる。また、被削材の種類や加工形態等に応じて、様々な切刃７を有する複数種類の切刃部３０を用意し、選択的に使用することができる。
【００９０】
また本実施形態では、工具本体２の外周面のうち中間部分２ｂの径方向位置が、調整部５０の径方向位置よりも径方向の内側に配置される。このため、調整部５０を操作して切刃部３０の軸方向の位置調整を行う際、工具本体２の外周面の中間部分２ｂが、調整作業の邪魔になりにくい。すなわち、調整部５０を操作する際に用いられる例えばレンチ等の作業用工具が、中間部分２ｂに接触することを抑制できる。したがって、切刃部３０の位置調整の作業性が向上する。
【００９１】
また、工具本体２の外周面のうち中間部分２ｂの径方向の位置が、調整部５０の径方向の位置よりも径方向内側であるので、工具本体２の外周面から余分な肉、つまり工具剛性を確保する上で必要とは言えない金属部分を削減でき、工具を軽量化できる。
【００９２】
また本実施形態では、工具本体２の外周面のうち中間部分２ｂの径方向の位置が、調整部５０の中心線Ｃの径方向の位置よりも、径方向の内側である。
このため、調整部５０を操作するレンチ等の作業用工具が、中間部分２ｂに接触することをより抑えることができ、切刃部３０の位置調整の作業性が向上する。また、工具本体２の外周面の中間部分２ｂにおいて、余分な肉をより削減でき、工具を軽量化できる。
【００９３】
また本実施形態では、支持部２４が、工具本体２の外周面のうち支持部２４に対して周方向に隣り合う部分２ａよりも、径方向外側に向けて突出する。すなわち、上記部分２ａの径方向の位置が、支持部２４の径方向の位置よりも径方向の内側に配置される。これにより、工具本体２の外周面において支持部２４近傍の余分な肉を削減でき、工具をより軽量化できる。
【００９４】
また本実施形態では、工具本体２の内側本体部２２の比重が、外側本体部２１の比重よりも小さい。
このため、工具本体２のうち、高剛性が必要とされる外側本体部２１については、剛性を確保しやすい例えば鋼材製とし、内側本体部２２については、軽量の例えばアルミ材製として、工具本体２の総重量を削減できる。すなわち、例えば本実施形態と異なり工具本体の全体が鋼材製である場合に比べて、本実施形態によれば工具の重量を軽量化できる。したがって、工具の剛性を確保しつつも、工具を軽量化できる。
【００９５】
また本実施形態では、外側本体部２１と内側本体部２２との間に空間部２３が設けられるので、工具本体２を肉抜きして重量を削減でき、工具をより軽量化できる。
なお本実施形態では、空間部２３の一部（第２空間部２３ｂ）を、クーラント孔３の流路部分として用いている。このため、空間部２３の一部にクーラントを一時的に溜めることができ、切刃部３０へのクーラント噴出量を安定させたり、複数のクーラント孔３（第２クーラント孔３ｂ）同士のクーラントの噴出バランスを均等化しやすくできる。
【００９６】
〔本発明に含まれるその他の構成〕
なお、本発明は前述の実施形態に限定されず、例えば下記に説明するように、本発明の趣旨を逸脱しない範囲において構成の変更等が可能である。
【００９７】
前述の実施形態では、支持部２４の一対の第２平面部２４ｂ同士が、周方向に互いに対向して配置される例を挙げたが、これに限らない。例えば、一対の第２平面部２４ｂ同士が、径方向に互いに対向して配置されてもよい。この場合、調整部５０は、支持部２４に対して中心軸Ｏ回りの周方向に向けて取り外し自在とされる。
また、軸部材５１が有する第１平面部５３ａは、一対に限らず、１つのみでもよい。この場合でも、回り止め軸５３が支持部２４の一対のリブ間に挟持されることにより、回り止め機能が得られる。
【００９８】
前述の実施形態では、ナット部材５２の外周面にナット操作穴５２ａが開口する例を挙げた。そして、ナット操作穴５２ａに対してレンチ等の作業用工具を挿入し、ナット部材５２を中心線Ｃ回りに回転操作する。これに限らず、例えば、ナット部材５２の外周面が、中心線Ｃに垂直な断面視で、六角形等の多角形状をなしていてもよい。そして、ナット部材５２を、スパナ等の作業用工具により中心線Ｃ回りに回転操作してもよい。
また、調整部５０は、切刃部３０を軸方向の先端側へ向けて押圧し、切刃部３０の軸方向の位置を調整可能であればよく、軸部材５１およびナット部材５２を有する構成に限定されない。
【００９９】
前述の実施形態では、抜け止め壁部２６が、複数の窪み部２５にそれぞれ配置される例を挙げたが、これに限らない。例えば、工具本体２の外周面に、周方向の全周にわたって延びる抜け止め壁部２６が、１つのみ設けられてもよい。
【０１００】
前述の実施形態では、切刃部３０が、工具本体２の先端外周部に着脱可能に装着される例を挙げたが、これに限らない。切刃部３０は、工具本体２に対して軸方向に位置調整可能に取り付けられていればよく、工具本体２の先端外周部に取り外し不能に装着されてもよい。すなわち、転削工具は、刃先交換式フライスカッタ１に限定されない。
【０１０１】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【符号の説明】
【０１０２】
１…刃先交換式フライスカッタ（転削工具）
２…工具本体
２０…切刃部の位置調整機構
２４…支持部
２４ｂ…第２平面部
２６…抜け止め壁部
３０…切刃部
５０…調整部
５１…軸部材
５２…ナット部材
５３ａ…第１平面部
５５…スラスト受け部
５５ａ…面取り部
Ｏ…中心軸
【図１】
2019177442.tif 000003
【図２】
2019177442.tif 000004
【図３】
2019177442.tif 000005
【図４】
2019177442.tif 000006
【図５】
2019177442.tif 000007
【図６】
2019177442.tif 000008
【図７】
2019177442.tif 000009
【図８】
2019177442.tif 000010
【図９】
2019177442.tif 000011